【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
画面の複数の分割領域のそれぞれについて、その分割領域に表示される画像の輝度に関する特徴量を取得する取得手段と、
前記取得手段で取得された特徴量に基づいて、前記複数の分割領域にそれぞれ対応する複数の発光輝度を決定する決定手段と、
前記複数の分割領域のそれぞれにおいて、その分割領域に対応する発光輝度で発光する発光部と、
前記発光部からの光を透過することで画面に画像を表示する表示パネルと、
を有し、
前記決定手段は、
輝度が所定輝度以上且つ面積が所定面積以下の特定エリアを含まない分割領域の発光輝度を、当該分割領域の特徴量に応じた発光輝度とし、
前記特定エリアを含む分割領域の発光輝度を、当該分割領域の特徴量に応じた発光輝度よりも低い発光輝度とする
ことを特徴とする表示装置。
【請求項２】
前記決定手段は、前記特定エリアを含む分割領域に対し、当該分割領域の特徴量に応じた発光輝度を求めた後、その発光輝度を小さくする補正を行う
ことを特徴とする請求項１に記載の表示装置。
【請求項３】
前記決定手段は、画像の最大画素値から平均画素値を減算した値が第１の閾値以上である分割領域を、前記特定エリアを含む分割領域として扱う
ことを特徴とする請求項１または２に記載の表示装置。
【請求項４】
前記決定手段は、画像中の全画素に対する、画素値が所定値以上の画素の占める割合が第２の閾値以下である分割領域を、前記特定エリアを含む分割領域として扱う
ことを特徴とする請求項１または２に記載の表示装置。
【請求項５】
前記決定手段は、画像の平均画素値が第３の閾値より大きい分割領域を、無条件に、前記特定エリアを含まない分割領域として扱う
ことを特徴とする請求項１〜４のいずれか１項に記載の表示装置。
【請求項６】
前記決定手段は、前記特定エリアを含む分割領域の発光輝度と、当該分割領域の特徴量に応じた発光輝度との差が、前記特定エリアの面積が小さいときのほうが、前記特定エリアの面積が大きいときよりも大きくなるように、当該分割領域の発光輝度を決定する
ことを特徴とする請求項１〜５のいずれか１項に記載の表示装置。
【請求項７】
前記決定手段は、前記特定エリアを含む分割領域の発光輝度と、当該分割領域の特徴量に応じた発光輝度との差が、当該分割領域に表示される画像の平均画素値が小さいときのほうが、当該分割領域に表示される画像の平均画素値が大きいときよりも大きくなるように、当該分割領域の発光輝度を決定する
ことを特徴とする請求項１〜６のいずれか１項に記載の表示装置。
【請求項８】
前記決定手段は、前記特定エリアを含む分割領域の特徴量に応じた発光輝度を所定の割合で低減させた発光輝度を、当該分割領域の発光輝度として決定する
ことを特徴とする請求項１〜５のいずれか１項に記載の表示装置。
【請求項９】
前記決定手段は、前記特徴量に基づき求めた各分割領域の発光輝度を、ばらつきが小さくなるように補正することにより、各分割領域の最終的な発光輝度を決定する
ことを特徴とする請求項１〜８のいずれか１項に記載の表示装置。
【請求項１０】
前記複数の分割領域のそれぞれについて、その分割領域に対して決定された発光輝度に基づいて伸長率を決定し、当該分割領域内に表示される画像の各画素値に前記決定した伸長率を乗算することにより、発光輝度の低下による画面上の輝度の低下を抑制する画像補正手段をさらに有し、
前記画像補正手段は、伸長率を乗算した後の画素値が、設定可能な画素値の上限値よりも大きくならないように、伸長率を決定する
ことを特徴とする請求項１〜９のいずれか１項に記載の表示装置。
【請求項１１】
前記特徴量は、分割領域に表示される画像の最大画素値、または、最大画素値に依存する特徴量である
ことを特徴とする請求項１〜１０のいずれか１項に記載の表示装置。
【請求項１２】
発光部と、前記発光部からの光を透過することで画面に画像を表示する表示パネルと、を有する表示装置の制御方法であって、
画面の複数の分割領域のそれぞれについて、その分割領域に表示される画像の輝度に関する特徴量を取得する取得ステップと、
前記取得ステップで取得された特徴量に基づいて、前記複数の分割領域にそれぞれ対応する複数の発光輝度を決定する決定ステップと、
前記複数の分割領域のそれぞれにおいて、その分割領域に対応する発光輝度で発光するように前記発光部を制御する制御ステップと、
を有し、
前記決定ステップでは、
輝度が所定輝度以上且つ面積が所定面積以下の特定エリアを含まない分割領域の発光輝度を、当該分割領域の特徴量に応じた発光輝度とし、
前記特定エリアを含む分割領域の発光輝度を、当該分割領域の特徴量に応じた発光輝度よりも低い発光輝度とする
ことを特徴とする表示装置の制御方法。
【手続補正２】
【補正対象書類名】明細書
【補正対象項目名】０００８
【補正方法】変更
【補正の内容】
【０００８】
本発明の表示装置は、
画面の複数の分割領域のそれぞれについて、その分割領域に表示される画像の輝度に関する特徴量を取得する取得手段と、
前記取得手段で取得された特徴量に基づいて、前記複数の分割領域にそれぞれ対応する複数の発光輝度を決定する決定手段と、
前記複数の分割領域のそれぞれにおいて、その分割領域に対応する発光輝度で発光する発光部と、
前記発光部からの光を透過することで画面に画像を表示する表示パネルと、
を有し、
前記決定手段は、
輝度が所定輝度以上且つ面積が所定面積以下の特定エリアを含まない分割領域の発光輝度を、当該分割領域の特徴量に応じた発光輝度とし、
前記特定エリアを含む分割領域の発光輝度を、当該分割領域の特徴量に応じた発光輝度よりも低い発光輝度とする
ことを特徴とする。
【手続補正３】
【補正対象書類名】明細書
【補正対象項目名】０００９
【補正方法】変更
【補正の内容】
【０００９】
本発明の表示装置の制御方法は、
発光部と、前記発光部からの光を透過することで画面に画像を表示する表示パネルと、を有する表示装置の制御方法であって、
画面の複数の分割領域のそれぞれについて、その分割領域に表示される画像の輝度に関する特徴量を取得する取得ステップと、
前記取得ステップで取得された特徴量に基づいて、前記複数の分割領域にそれぞれ対応する複数の発光輝度を決定する決定ステップと、
前記複数の分割領域のそれぞれにおいて、その分割領域に対応する発光輝度で発光するように前記発光部を制御する制御ステップと、
を有し、
前記決定ステップでは、
輝度が所定輝度以上且つ面積が所定面積以下の特定エリアを含まない分割領域の発光輝度を、当該分割領域の特徴量に応じた発光輝度とし、
前記特定エリアを含む分割領域の発光輝度を、当該分割領域の特徴量に応じた発光輝度よりも低い発光輝度とする
ことを特徴とする。
【手続補正４】
【補正対象書類名】明細書
【補正対象項目名】００４３
【補正方法】変更
【補正の内容】
【００４３】
本実施例によれば、実施例１と同様に、小面積高輝度エリアを含まないと判定された分割領域の発光輝度が、当該分割領域の特徴量に応じた発光輝度とされる。そして、小面積高輝度エリアを含むと判定された分割領域の発光輝度が、当該分割領域の特徴量に応じた発光輝度よりも低い発光輝度とされる。それにより、分割領域毎にバックライトの発光輝
度を制御して、表示する画像のコントラストの向上を図る表示装置において、画面全体の輝度の低下、及び、黒浮きの発生を抑制することができる。
【手続補正５】
【補正対象書類名】明細書
【補正対象項目名】００４８
【補正方法】変更
【補正の内容】
【００４８】
本実施例によれば、実施例２と同様に、小面積高輝度エリアを含まないと判定された分割領域の発光輝度が、当該分割領域の特徴量に応じた発光輝度とされる。そして、小面積高輝度エリアを含むと判定された分割領域の発光輝度が、当該分割領域の特徴量に応じた発光輝度よりも低い発光輝度とされる。それにより、分割領域毎にバックライトの発光輝度を制御して、表示する画像のコントラストの向上を図る表示装置において、画面全体の輝度の低下、及び、黒浮きの発生を抑制することができる。
なお、図２のＳ１０４において、図１８のＳ３０３の処理が行われてもよい。
【手続補正６】
【補正対象書類名】図面
【補正対象項目名】図１９
【補正方法】変更
【補正の内容】
【図１９】
2013218098.tif 000001